(57)【要約】【課題】アタッチメント側の配管を、アタッチメント接続配管に容易に接続することができる油圧ショベルのアタッチメント配管接続装置及び接続用アダプタを提供する。【解決手段】油圧ショベルの多関節アーム６の先端側に、アタッチメント接続配管１４を備えた油圧ショベルのアタッチメント配管接続装置において、前記アタッチメント接続配管１４の先端側に接続したストップ弁１６と、前記ストップ弁１６に連結し、回り継ぎ手によって回転可能でそれぞれ異なるサイズ、種類の形式の接続ねじを持つ複数の配管接続口を有する接続部材１７とを備えたことを特徴とする。【選択図】  図２
2006183263.tif 000002
【特許請求の範囲】
【請求項１】
油圧ショベルの多関節アームの先端側に、アタッチメント接続配管を備えた油圧ショベルのアタッチメント配管接続装置において、前記アタッチメント接続配管の先端側に接続したストップ弁と、前記ストップ弁に連結し、回り継ぎ手によって回転可能でそれぞれ異なるねじのサイズ、種類の形式の接続ねじを持つ複数の配管接続口を有する接続部材とを備えたことを特徴とする油圧ショベルのアタッチメント配管接続装置。
【請求項２】
油圧ショベルの多関節アームの先端側に、アタッチメント接続配管を備えた油圧ショベルのアタッチメント配管接続装置において、前記アタッチメント接続配管の先端側に接続する一方の開口と他方の開口とこれらの開口を連通遮断する弁体とを有するストップ弁と、前記ストップ弁の他方の開口に一端を連結し、他端を前記多関節アームの側方から外方に屈曲した曲管と、前記曲管に回り継ぎ手を介して回転可能に連結され、それぞれ異なるねじのサイズ、種類の形式の接続ねじを持つ複数の配管接続口を有する接続部材とを備えたことを特徴とする油圧ショベルのアタッチメント配管接続装置。
【請求項３】
油圧ショベルの多関節アームの先端側に、アタッチメント接続配管を備えた油圧ショベルのアタッチメント配管接続装置において、前記アタッチメント接続配管の先端側に接続する一方の開口と他方の開口とこれらの開口を連通遮断する弁体とを有するストップ弁と前記ストップ弁の他方の開口に一端を連結し、他端側にそれぞれ異なるねじのサイズ、種類の形式の接続ねじを持つ複数の配管接続口を有する接続部材とを備えたことを特徴とする油圧ショベルのアタッチメント配管接続装置。
【請求項４】
油圧ショベルの多関節アームの先端側に、アタッチメント接続配管を備えた油圧ショベルのアタッチメント配管接続用アダプタにおいて、前記アタッチメント接続配管の先端側に一端が接続され、他端が閉塞している曲管と、前記曲管に回り継ぎ手を介して回転可能に連結され、それぞれ異なるねじのサイズ、種類の形式の接続ねじを持つ複数の配管接続口を有する接続部材とを備えたことを特徴とする油圧ショベルのアタッチメント配管接続用アダプタ。
【発明の詳細な説明】
【技術分野】
【０００１】
本発明は、油圧ショベルの作業アーム先端に付設されるアタッチメントのための配管接続装置及び接続用アダプタに関する。
【背景技術】
【０００２】
油圧ショベルの多関節アームの先端には、通常、掘削用のバケットが取り付けられているが、作業の汎用性を向上させるために、掘削用のバケットに変えて、破砕機等のアタッチメントを多関節アームの先端に取り付けて使用することがある。
【０００３】
このように交換されたアタッチメントに作動油を供給するために、油圧ショベルの本体の油圧源に接続した配管を、多関節アームの先端側の側部に配設し、その配管の先端にアタッチメントの配管が接続される接続口部を設けている（例えば、特許文献１参照。）。
【０００４】
【特許文献１】特開平９−７１０７６号公報、図１０、
【発明の開示】
【発明が解決しようとする課題】
【０００５】
一方、油圧ショベルの機能性を有効的に利用するために、近年では、その多関節アームの先端に、種々のアタッチメントを装備し使用する要求がある。この場合、各アタッチ側の給排用の配管における接続口のねじのサイズ、種類の形式が、上述したアタッチメント接続配管の接続口部におけるねじのサイズ、種類の形式とは異なることがあるので、このねじのサイズ、種類の形式に適合する補助用の接続アダプタを数種類用意し、使用するアタッチメントに対応する補助用の接続アダプタを、その都度、アタッチメント接続配管の接続口部に付け替え、この補助用の接続アダプタにアタッチメント側の給排用の配管を接続していた。
【０００６】
このような接続構成では、補助用の接続アダプタの付け替えが必要になり、その接続作業が面倒であるとともに、複数の補助用の接続アダプタを常備しなければならないという問題がある。
【０００７】
本発明は、上述の問題点を改善し、アタッチメント側の配管を、アタッチメント接続配管に容易に接続することができる油圧ショベルのアタッチメント配管接続装置及び接続用アダプタを提供することを目的とする。
【課題を解決するための手段】
【０００８】
本発明は、上記の目的を達成するために、第１の発明は、油圧ショベルの多関節アームの先端側に、アタッチメント接続配管を備えた油圧ショベルのアタッチメント配管接続装置において、前記アタッチメント接続配管の先端側に接続したストップ弁と、前記ストップ弁に連結し、回り継ぎ手によって回転可能でそれぞれ異なるねじのサイズ、種類の形式の接続ねじを持つ複数の配管接続口を有する接続部材とを備えたことを特徴とする油圧ショベルのアタッチメント配管接続装置にある。
【０００９】
また、第２の発明は、油圧ショベルの多関節アームの先端側に、アタッチメント接続配管を備えた油圧ショベルのアタッチメント配管接続装置において、前記アタッチメント接続配管の先端側に接続する一方の開口と他方の開口とこれらの開口を連通遮断する弁体とを有するストップ弁と、前記ストップ弁の他方の開口に一端を連結し、他端を前記多関節アームの側方から外方に屈曲した曲管と、前記曲管に回り継ぎ手を介して回転可能に連結され、それぞれ異なるねじのサイズ、種類の形式の接続ねじを持つ複数の配管接続口を有する接続部材とを備えたことを特徴とする油圧ショベルのアタッチメント配管接続装置にある。
【００１０】
更に、第３の発明は、油圧ショベルの多関節アームの先端側に、アタッチメント接続配管を備えた油圧ショベルのアタッチメント配管接続装置において、前記アタッチメント接続配管の先端側に接続する一方の開口と他方の開口とこれらの開口を連通遮断する弁体とを有するストップ弁と、前記ストップ弁の他方の開口に一端を連結し、他端側にそれぞれ異なるねじのサイズ、種類の形式の接続ねじを持つ複数の配管接続口を有する接続部材とを備えたことを特徴とする油圧ショベルのアタッチメント配管接続装置にある。
【００１１】
また、第４の発明は、油圧ショベルの多関節アームの先端側に、アタッチメント接続配管を備えた油圧ショベルのアタッチメント配管接続用アダプタにおいて、前記アタッチメント接続配管の先端側に一端が接続され、他端が閉塞している曲管と、前記曲管に回り継ぎ手を介して回転可能に連結され、それぞれ異なるねじのサイズ、種類の形式の接続ねじを持つ複数の配管接続口を有する接続部材とを備えたことを特徴とする油圧ショベルのアタッチメント配管接続用アダプタにある。
【発明の効果】
【００１２】
本発明によれば、アタッチメント接続配管の接続口部に、種々のアタッチメントの配管を接続することができる接続部を設けたので、アタッチメント交換時の配管接続作業が容易になり、その作業性が向上するとともに、配管接続のための作業時間も短縮することができるので、油圧ショベルの作業復帰性を高めることができる。
【発明を実施するための最良の形態】
【００１３】
以下、本発明の油圧ショベルのアタッチメント配管接続装置の実施の形態を図面を用いて説明する。  
図１は本発明の油圧ショベルのアタッチメント配管接続装置の一実施の形態を備えた油圧ショベル形式の作業機械を示す斜視図で、この図１において、作業機械１は、走行体２と、この走行体２上に旋回可能に設けた旋回体３と、旋回体３上に搭載した動力源４と、旋回体３の前方側部に設けた運転室５と、旋回体３の前部に俯仰動可能に設けた多関節アーム６と、多関節アーム６の先端に回動可能に設けた掘削用バケット７とで構成されている。
【００１４】
多関節アーム６は、基部を旋回体３の前部に俯仰動可能に設けたブーム８と、このブーム８の先端に回動可能に設けたアーム９とで構成されている。このアーム９の先端には、アタッチメントの１つである掘削用バケット７が着脱可能に取り付けられている。ブーム８は、これと旋回体３との間に設けたシリンダ１０によって俯仰動される。アーム９はこれとブーム８との間に設けたシリンダ１１によって回動する。掘削用バケット７はリンク１２を介して連結したシリンダ１３によって回動される。
【００１５】
ブーム７およびアーム９の側部には、動力源４に接続するアタッチメント接続配管１４がそれぞれ保持具１５によって保持されて配設されている。このアタッチメント接続配管１４の先端は、アーム９の先端側の側部にそれぞれ位置している。アタッチメント接続配管１４の先端には、図２に示すようにストップ弁１６とこのストップ弁１６に接続し複数の配管接続口を有する接続部材１７とからなる配管接続装置１８がそれぞれ設けられている。
【００１６】
この配管接続装置１８の詳細な構成を図３及び図４を用いて説明する。図３は図２に示す本発明のアタッチメント配管接続装置の一実施の形態をさらに拡大して示す正面図、図４は図３に示す本発明のアタッチメント配管接続装置の一実施の形態を一部断面にて示す平面図である。これらの図において、図１及び図２と同符号のものは同一部分である。ストップ弁１６は、一方側の連通孔１９と他方側の連通孔２０とを有する弁筐２１と、この弁筐２１に回転可能に設けられ、連通孔１９，２０とを連通遮断する弁孔２２を有する弁体２３とを備えている。
【００１７】
ストップ弁１６は、その一方側の連通孔１９とアタッチメント接続配管１４の先端側とにそれぞれねじ込まれた接続ねじ２４によって、鋼管製のアタッチメント接続配管１４の先端に保持されているとともに、連通状態に接続されている。
【００１８】
ストップ弁１６の他方側の連通孔２０には、接続ねじ２５によって曲管２６の一端が連結されている。この曲管２６の他端側は閉塞されており、曲管２６内の通路に連結する１つの連通孔２７を有している。曲管２６の他端側の外周面は、後述する接続部材とにより回り継ぎ手（スイベルジョイント）を構成する。
【００１９】
曲管２６の他端側の外周面には、曲管２６の連通孔２７に選択的に連通する複数個（この例では４個）の連通孔２８を有する接続部材２９が回転可能に設けられている。この接続部材２９は、スナップリング３０によって曲管２６の他端側部の軸線方向への移動を抑えられていると共に、シール３１によって摺動面からの油漏れを防止するように構成されている。
【００２０】
接続部材２９の各連通孔２８には、附設するアタッチメント側の配管における接続ねじに適合させるために、ねじのサイズ、種類の形式が異なる接続ねじ３２の一方のねじ部がそれぞれねじ込まれている。これらの接続ねじ３２のうち、アタッチメン側の配管３４が接続されていない接続ねじ３２の他方のねじ部には、閉塞キャップ３３がねじ込まれている。図３及び図４においては、図面上左側端の接続ねじ３２のねじ部に、アタッチメント側の配管３４を接続した状態を示しており、他のアタッチメントを使用する場合、接続部材２９を曲管２６回りに回転して、他のアタッチメント側の配管３４における接続ねじに適合する接続ねじ３２を図面上左側に位置させ、この左側に位置させた接続ねじ３２の他方のねじ部に他のアタッチメント側の配管３４における接続ねじをねじ込み連結する。
【００２１】
次に、上述した本発明の油圧ショベルのアタッチメント配管接続装置及び接続用アダプタの一実施の形態の動作を図面を用いて説明する。  
図１に示すように多関節アーム６の先端に設けた掘削用バケット７によって土砂等を掘削する状態から、例えば破砕機等のアタッチメントによってコンクリート等の破砕作業を行う場合には、まず多関節アーム６の先端から掘削用バケット７を取り外し、多関節アーム６の先端に例えば破砕機等のアタッチメントを装着する。
【００２２】
次に、図３及び図４に示す各接続部材２９を曲管２６回りに回転して、アタッチメント側の配管３４の接続口における接続ねじと同じサイズ、種類の形式の接続ねじ３２が、配管の接続上の観点から図３及び図４に示す左側に位置させ、閉塞キャップ３３を接続ねじ３２から取り外す。その後、アタッチメント側の配管３４の接続ねじを、左側に位置させた接続部材２９における接続ねじ３２の他方のねじ部にねじ込み結合する。
【００２３】
次に、ストップ弁１６の弁体２３を回転し、その弁孔２２を弁筐２１の一方側の連通孔１９と他方側の連通孔２０とに一致させれば、アタッチメント接続配管１４を、それぞれストップ弁１６、曲管２６接続部材の各連通孔を通してアタッチメント側の配管３４に連通させることができる。これにより、油圧源からの圧油をアタッチメントに供給し、アタッチメントからの排油を油圧源側に戻すことができる。
【００２４】
上述したように、各接続部材２９には、装着すべきアタッチメントの配管３４の接続口における接合ねじと適合する同ねじ形式の接続ねじ３２を複数個設けたので、アタッチメント側の配管３４の接続が容易になり、その作業性が向上するとともに、配管接続のための作業時間も短縮することができるので、油圧ショベルの作業復帰性を高めることができる。また、従来用いていた補助用の接続アダプタを別途用意しておく必要もなくなる。
【００２５】
なお、上述の実施の形態においては、接続部材２９に４個の接続ねじ３２を設けたが、この接続ねじ３２の取付け個数は適宜変えることは可能である。
【００２６】
図５は本発明の油圧ショベルのアタッチメント配管接続装置及び接続用アダプタの他の実施の形態を示すもので、この図において図１乃至図４に示す符号と同符号のものは同一または相当する部分である。この実施の形態は、管体３５に複数の分岐部を設け、この分岐部にそれぞれ接続ねじ３２を設け、この管体３５をストップ弁１６に連結して構成したものである。
【００２７】
この実施の形態によれば、アタッチメント側の配管３４の接続が容易になり、その作業性が向上するとともに、配管接続のための作業時間も短縮することができるので、油圧ショベルの作業復帰性を高めることができる。また、従来用いていた補助用の接続アダプタを用意しておく必要もなく、製作コストが安価である。
【図面の簡単な説明】
【００２８】
【図１】本発明のアタッチメント配管接続装置の一実施の形態を備えた油圧ショベルの斜視図である。
【図２】図１に示す本発明のアタッチメント配管接続装置の一実施の形態を拡大して示す正面図である。
【図３】図２に示す本発明のアタッチメント配管接続装置の一実施の形態をさらに拡大して示す正面図である。
【図４】図３に示す本発明のアタッチメント配管接続装置の一実施の形態を一部断面にて示す平面図である。
【図５】本発明のアタッチメント配管接続装置の他の実施の形態を拡大して示す正面図である。
【符号の説明】
【００２９】
１        作業機械
６        多関節アーム
９        アーム
１４      アタッチメント接続配管
１６      ストップ弁
１７      接続部材
【図１】
2006183263.tif 000003
【図２】
2006183263.tif 000004
【図３】
2006183263.tif 000005
【図４】
2006183263.tif 000006
【図５】
2006183263.tif 000007